(57)【要約】【課題】  構造が簡単で、装着、取り外し、洗浄が容易で、製造コストも減じることができる専用ドリッパー付きの飲料サーバーを提供する。【解決手段】  上部に開口５を持つガラス製の容器２と、この容器２に着脱自在に嵌合されるドリッパー３とで飲料サーバー１を構成する。容器２は隘部７と注口８を持つ。注口８は、容器２の上縁から隘部７の下まで延びる溝部９で構成する。ドリッパー３は、外周に、半径方向外側へ突出する少なくとも２つの係合突起１６を有する。係合突起１６の１つを注口８内に配置してドリッパー３を容器２の開口５内に挿入したときにのみ隘部７を上下方向に通過可能であり、係合突起１６が隘部７を下方へ通過した後、ドリッパー３を水平回転させて当該１つの係合突起１６を注口８に対応する位置からずらすと、ドリッパー３が上方へ外れ止めされる。【選択図】図１
2008272260.tif 000002
【特許請求の範囲】
【請求項１】
上方に開口する横断面ほぼ円形の側壁を有するガラス製の容器と；この容器の前記開口内に着脱自在に嵌合されるドリッパーとを具備し；前記容器の側壁は、内径が縮小した隘部と注口とを上部に具備し；当該注口は、側壁の一部を半径方向外側へ断面ほぼＶ字状に膨出させることにより、容器の上縁から前記隘部より下方位置まで側壁の内側を縦方向に伸びるように形成された溝部によって構成され；前記ドリッパーは、所定高さ位置の外周に、円周方向に相互間隔を置いて半径方向外側へ突出するように形成された少なくとも２つの係合突起を有し；この係合突起は、そのいずれか１つを前記注口内に配置してドリッパーを前記容器の開口内に挿入したときにのみ前記隘部を上下方向に通過可能であり、係合突起が隘部を下方へ通過した後、ドリッパーを水平回転させて当該１つの係合突起を注口対応位置からずらすとドリッパーが上方へ外れ止めされることを特徴とする飲料サーバー。
【請求項２】
前記容器又は前記ドリッパーの開口を開閉するための蓋をさらに具備し；前記容器は、上端が当該容器の上縁に一体に接続する取手を具備し；前記ドリッパーは、前記容器の開口に嵌合させたときに、容器の上縁に載る環状枠を具備し；前記蓋は、前記取手の上部に結合されたヒンジを介して前記容器にそれの開口を開閉自在に結合され；かつ開口を閉鎖時に、前記ドリッパーの環状枠に弾性的に係合する係合爪を具備することを特徴とする請求項１に記載の飲料サーバー。
【請求項３】
前記ヒンジは、前記蓋の周縁から半径方向外方へ突出したブラケットに支持された軸部と；この軸部を着脱自在に受け入れて、回転自在に支持するように、前記取手に固定された軸受け部材とを具備することを特徴とする請求項２に記載の飲料サーバー。
【請求項４】
前記軸受け部材は、弾性合成樹脂で一体成形された第１および第２の軸受け部と、これらの軸受け部間を接続する帯状部とを具備し；前記第１および第２の軸受け部は、前記容器の取手上で互いにスナップ係合することにより軸受けを形成し；前記軸受け部の少なくとも一方は、相互係合状態において前記容器の上縁部に係合する係合片を具備し；前記帯状部は、前記第１および第２の軸受け部の相互係合状態において前記取手を巻き締めるように構成されることを特徴とする請求項２又は３に記載の飲料サーバー。
【発明の詳細な説明】
【技術分野】
【０００１】
この発明は、ドリッパーを容器に嵌合させた状態でコーヒー等の飲料の抽出を行い、容器の蓋を閉じてドリッパーに係合させた状態で、飲料を容器から注ぎ出すことができる飲料サーバーに関する。
【背景技術】
【０００２】
従来、ドリッパーを容器に嵌合させた状態でコーヒー等の飲料の抽出を行い、容器の蓋を閉じてドリッパーに係合させた状態で、飲料を容器から注ぎ出すことができる飲料抽出器が知られている（特許文献１参照）。
この飲料抽出器においては、ドリッパーが、こし網付きの漏斗と、この漏斗を囲んで下方へ円筒状に延出するスカートとを有する。スカートは、外周に係合突起を有し、容器の内側の係合突部に弾性的に嵌合する。スカートは、飲料を注ぎ出すときに通路を形成するための開放部を有する。
【特許文献１】実開平５−３１７３３号公報
【発明の開示】
【発明が解決しようとする課題】
【０００３】
上記従来の飲料抽出器は、ドリッパーの構造が複雑で、装着、取り外し、洗浄が必ずしも容易でなく、製造コストも大きくなるという問題点がある。
したがって、この出願に係る発明は、構造が簡単で、装着、取り外し、洗浄が容易で、製造コストも減じることができるドリッパー付きの飲料サーバーを提供することを課題としている。
【課題を解決するための手段】
【０００４】
上記課題を解決するため、この出願に係る発明においては、上方に開口する横断面ほぼ円形の側壁６を有するガラス製の容器２と、この容器２の開口５内に着脱自在に嵌合されるドリッパー３とを具備する飲料サーバー１を提供する。容器２の側壁６は、内径が縮小した隘部７と注口８とを上部に具備する。注口８は、側壁６の一部を半径方向外側へ断面ほぼＶ字状に膨出させることにより、容器２の上縁から隘部７より下方位置まで側壁６の内側を縦方向に伸びるように形成された溝部９によって構成される。ドリッパー３は、所定高さ位置の外周に、円周方向に相互間隔を置いて半径方向外側へ突出するように形成された少なくとも２つの係合突起１６を有する。この係合突起１６は、そのいずれか１つを注口８内に配置してドリッパー３を容器２の開口５内に挿入したときにのみ隘部７を上下方向に通過可能であり、係合突起１６が隘部７を下方へ通過した後、ドリッパー３を水平回転させて当該１つの係合突起１６を注口８に対応する位置からずらすと、ドリッパー３が上方へ外れ止めされる。
上記飲料サーバー１には、容器２の開口５又はドリッパー３の開口１７を開閉するための蓋４をさらに具備させることができる。ドリッパー３は、容器２の開口５に嵌合させたときに、容器２の上縁に載る環状枠１３を具備する。蓋４は、容器２の取手１０の上部に結合されたヒンジ１８を介して容器２に結合される。また蓋４は、開口５を閉鎖した時に、ドリッパー３の環状枠１３に弾性的に係合する係合爪２０を具備する。
【発明の効果】
【０００５】
この出願に係る発明の飲料サーバー１によれば、所定の相対回転位置からドリッパー３を容器２に嵌合させ、所定角度水平回転させるだけでドリッパー３を外れ止めでき、逆操作で取り外しできるから、ドリッパー３の装着、取り外しが容易である。例えばドリッパー３でコーヒーを抽出した後、ドリッパー３を取り外さずに、容器２内の飲料をカップ等に注ぎ出すために傾けてもドリッパー３は容器２から脱落することがない。
この飲料サーバー１に蓋４をさらに具備させた場合には、蓋４の係合爪２０がドリッパー３の上縁部に係合するから、容器２を傾けて飲料を注ぎ出すときに蓋４が開くことがなく、従って、コーヒー粉が露出して体裁を損ねることも、またコーヒー粉がこぼれ落ちることもない。
【発明を実施するための最良の形態】
【０００６】
図面を参照してこの発明の実施の形態を説明する。図１はこの出願に係る飲料サーバーの断面図、図２はこの出願に係る飲料サーバーの側面図、図３はこの出願に係る飲料サーバーの平面図、図４はこの出願に係る飲料サーバーにおける蓋を取り外した状態の平面図、図５は図１におけるV−V断面図、図６はこの出願に係る飲料サーバーにおけるドリッパーの底面図、図７はヒンジ部分の斜視図、図８はヒンジ部材の展開状態の正面図、図９は図８におけるIX−IX断面図である。
【０００７】
飲料サーバー１は、耐熱ガラス製の容器２と、容器に着脱自在に嵌合されるドリッパー３と、蓋４とを具備する。
【０００８】
容器２は、上方に開口５を有する横断面ほぼ円形の側壁６を具備する。容器の側壁６は、内径が縮小した隘部７と注口８とを上部に具備する。注口８は、側壁６の一部を半径方向外側へ断面ほぼＶ字状に膨出させることにより内側に形成される溝部９によって構成される。溝部９は容器２の上縁から隘部７より下方位置まで側壁６の内側を縦方向に伸びる。容器２の取手１０は、上端が当該容器２の上縁付近の側壁６に接続し、そこから半径方向外側へほぼ水平に延出した後、下方内側へ湾曲し、下端が側壁６の外側下部に一体に接続する。
【０００９】
ドリッパー３は、全体が、下方に縮小する円錐筒状で、容器１の開口５内に着脱自在に嵌合される。ドリッパー３は、合成樹脂で一体成形された枠体１１と、枠体１１と共にインサート成型された金属製のメッシュ１２とからなる。枠体１１は、環状枠１３と、摘み１４と、支持骨１５とを具備する。
【００１０】
上端の環状枠１３は円環状で、容器２の上縁に載る鍔部を有する。摘み１４は、環状枠１３の鍔部から半径方向外側へ水平に延出する。６本の支持骨１５は、環状枠１３から円周方向に等間隔に、下方へそれぞれ渦巻き状に湾曲して延出し、下端において収束して互いに一体に接続する。
【００１１】
ドリッパー３の外周に相互に１２０°の間隔で位置する３つの支持骨１５の中間部、同高さ位置には、それぞれ半径方向外側へ突出する係合突起１６が形成される。この係合突起１６は、図５（ａ）に示すように、そのいずれか１つを注口８内に配置して、ドリッパー３を容器２の開口５内に挿入したときにのみ、隘部７を上下方向に通過可能な相互関係で配置される。そして、係合突起１６が隘部７を下方へ通過して、環状枠１３が容器２の上縁に載った後、ドリッパー３を水平回転させて、図５（ｂ）に示すように、当該１つの係合突起１６を注口８に対応する位置からずらすとドリッパー３は、係合突起１６によって上方へ外れ止めされる。
【００１２】
蓋４は、容器２の開口５およびドリッパー３の開口１７を開閉できるように、取手１０の上部に結合されたヒンジ１８を介して容器２に結合される。蓋４は、合成樹脂で一体成型され、円盤状の主体部１９と、その周縁部に形成された係合爪２０、指掛け片２１を具備する。係合爪２０は、主体部１９の周縁に沿い、湾曲してわずかに下方へ延出しており、ドリッパー３の環状枠１３に弾性的に係合することができる。係合爪２０は、主体部１９の外周の一部で欠落し、切欠部２２が設けられる。指掛け片２１は、主体部１９の周縁から半径方向外側に向かって上昇するように傾斜して延出する。
【００１３】
ヒンジ１８の一部を構成するブラケット２３と軸部２４は、指掛け片２１から下方へ延出するように形成される。軸部２４は、ブラケット２３の対向内面から一対突出しており、それぞれ長円柱状である。ヒンジ１８の他の一部を構成する軸受け部材２５は、容器２の取手１０に固着される。軸受け部材２５は、一対の軸部２４を着脱自在に受け入れて、これを回転自在に支持する。
【００１４】
図７ないし図９に示すように、軸受け部材２５は、弾性合成樹脂で一体成形され、第１および第２の軸受け部２６，２７と、これらの軸受け部２６，２７間を接続する帯状部２８とを具備する。第１および第２の軸受け部２６，２７は、容器の取手１０上で互いにスナップ係合することにより一体に結合して軸受けを形成する。一方の軸受け部２７は、容器２の上縁部に係合する係合片２９を具備する。帯状部２７は、軸受け部２６，２７の相互係合状態において取手１０を巻き締めるように構成される。取手１０は、製造上、寸法誤差が比較的大きいが、帯状部２８は、この寸法誤差を考慮して設計される。帯状部２８による取手１０の締め付けが弱い場合でも、係合片２９が容器２の上縁部に係合するので、軸受け部材２５は取手１０上に確実に固定される。
【００１５】
この飲料サーバー１を使用する場合には、蓋４を起立させた状態で、図５（ａ）に示すように、ドリッパー３の１つの係合突起１６が容器２の溝部９（注口８）に対応する相対回転角度位置で、ドリッパー３を容器２に嵌合させると、３つの係合突起１６は隘部７を通過して、隘部７の下方に配置される。この状態で、図５（ｂ）に示す位置まで（図示の実施形態においては摘みがヒンジ１８に当接する位置付近まで）ドリッパー３を時計方向へ回転させると、ドリッパー３は容器２から抜け止めされる。例えば、ドリッパー３にコーヒー粉を入れて、熱湯を所定量注ぎ、コーヒーを抽出した後、ドリッパー３を取り外さずに、蓋４を転倒させて押さえると、係合爪２０がドリッパー３の環状枠１３の外周に係合して蓋４が開き止めされる。図示の実施形態においては、ドリッパー３が時計方向へ所定位置まで回転されていれば、摘み１４が蓋４の切欠部２２に対応するので、蓋４を閉じることができるが、所定位置にないと、摘み１４が蓋４の係合爪２０に当接して蓋４を閉じることができない。蓋４を閉じた状態で、容器２を傾ければ、コーヒーを注口８から注ぎ出すことができる。容器２を傾けても、係合突起１６が隘部７に係合しているので、ドリッパー３は容器２から脱落することがない。また、ドリッパー３は円錐形であるから、容器２を傾けたときに、コーヒーの流れを遮ることがない。蓋４が閉じているので、コーヒー粉が露出して体裁を損ねることも、またコーヒー粉がこぼれ落ちることもない。容器２と蓋３には金属部品が使用されていないから、ドリッパー３を外して蓋４を閉じた状態で、電子レンジでコーヒーを再加熱することもできる。ドリッパー３は、単純な円錐筒形であるから、洗浄が容易である。蓋４も容器２から外して容易に洗浄できる。容器２とドリッパー４を組んだ状態でコンパクトに保管できる。
【図面の簡単な説明】
【００１６】
【図１】この出願に係る飲料サーバーの断面図である。
【図２】図１の飲料サーバーの側面図である。
【図３】図１の飲料サーバーにおける蓋を取り外した状態の平面図である。
【図４】図１の飲料サーバーにおける蓋を取り外した状態の平面図である。
【図５】図１におけるV−V断面図である。
【図６】図１の飲料サーバーにおけるドリッパーの底面図である。
【図７】ヒンジ部分の斜視図である。
【図８】ヒンジ部材の展開状態の正面図である。
【図９】図８におけるIX−IX断面図である。
【符号の説明】
【００１７】
１      サーバー
２      容器
３      ドリッパー
４      蓋
５      開口
６      側壁
７      隘部
８      注口
９      溝部
１０    取手
１１    枠体
１２    メッシュ
１３    環状枠
１４    摘み
１５    支持骨
１６    係合突起
１７    ドリッパーの開口
１８    ヒンジ
１９    主体部
２０    係合爪
２１    指掛け片
２２    切欠部
２３    ブラケット
２４    軸部
２５    軸受け部材
２６    第１の軸受け部
２７    第２の軸受け部
２８    帯状部
２９    係合片
【図１】
2008272260.tif 000003
【図２】
2008272260.tif 000004
【図３】
2008272260.tif 000005
【図４】
2008272260.tif 000006
【図５】
2008272260.tif 000007
【図６】
2008272260.tif 000008
【図７】
2008272260.tif 000009
【図８】
2008272260.tif 000010
【図９】
2008272260.tif 000011